(57)【要約】【課題】屈折率が異なる複数種類の粒子が混合された試料の粒子径分布を精度よく測定することができるデータ処理方法、データ処理装置及びデータ処理プログラムを提供する。【解決手段】データ入力受付部５１１は、屈折率が異なる複数種類の粒子が混合された試料からの回折散乱光を複数の受光素子で受光することにより得られる光強度分布データの入力を受け付ける。記憶部５４は、屈折率ごとに得られる光学モデルが結合された係数行列を記憶する。粒子径分布データ生成部５１２は、光強度分布データ及び係数行列に基づいて演算を行うことにより、屈折率が異なる複数種類の粒子ごとの粒子径分布データを生成する。【選択図】  図２
2018031660.tif 000002
【特許請求の範囲】
【請求項１】
屈折率が異なる複数種類の粒子が混合された試料からの回折散乱光を複数の受光素子で受光することにより得られる光強度分布データの入力を受け付けるデータ入力受付ステップと、
屈折率ごとに得られる光学モデルが結合された係数行列を生成する係数行列生成ステップと、
前記光強度分布データ及び前記係数行列に基づいて演算を行うことにより、屈折率が異なる複数種類の粒子ごとの粒子径分布データを生成する粒子径分布データ生成ステップとを含むことを特徴とするデータ処理方法。
【請求項２】
前記係数行列生成ステップでは、各列が一次独立である前記係数行列を生成することを特徴とする請求項１に記載のデータ処理方法。
【請求項３】
前記粒子径分布データ生成ステップにより生成された複数種類の粒子ごとの粒子径分布データの粒子径範囲が同一となるように補正を行うデータ補正ステップをさらに含むことを特徴とする請求項１又は２に記載のデータ処理方法。
【請求項４】
前記データ補正ステップにより補正された複数種類の粒子ごとの粒子径分布データを、同一の表示領域に表示させる表示処理ステップをさらに含むことを特徴とする請求項３に記載のデータ処理方法。
【請求項５】
屈折率が異なる複数種類の粒子が混合された試料からの回折散乱光を複数の受光素子で受光することにより得られる光強度分布データの入力を受け付けるデータ入力受付部と、
屈折率ごとに得られる光学モデルが結合された係数行列を記憶する記憶部と、
前記光強度分布データ及び前記係数行列に基づいて演算を行うことにより、屈折率が異なる複数種類の粒子ごとの粒子径分布データを生成する粒子径分布データ生成部とを備えることを特徴とするデータ処理装置。
【請求項６】
屈折率が異なる複数種類の粒子が混合された試料からの回折散乱光を複数の受光素子で受光することにより得られる光強度分布データの入力を受け付けるデータ入力受付部と、
前記光強度分布データ、及び、屈折率ごとに得られる光学モデルが結合された係数行列に基づいて演算を行うことにより、屈折率が異なる複数種類の粒子ごとの粒子径分布データを生成する粒子径分布データ生成部としてコンピュータを機能させることを特徴とするデータ処理プログラム。
【発明の詳細な説明】
【技術分野】
【０００１】
本発明は、試料からの回折散乱光を複数の受光素子で受光することにより得られる光強度分布データを処理することにより粒子径分布データを生成するデータ処理方法、データ処理装置及びデータ処理プログラムに関するものである。
【背景技術】
【０００２】
従来から、試料中の粒子群の粒子径分布を測定するために、粒子径分布測定装置が用いられている。一般的な粒子径分布測定装置では、測定対象となる試料に対してレーザ光を照射し、試料で回折又は散乱された光を複数の受光素子で受光することにより、各受光素子における受光強度に基づいて、試料中の粒子群の粒子径分布を測定することができるようになっている。
【０００３】
この種の粒子径分布測定装置では、試料で回折又は散乱された光を複数の受光素子で受光することにより、各受光素子における受光強度を表す光強度分布データが得られる。そして、得られた光強度分布データに対して屈折率を用いた演算が行われることにより、各粒子径における粒子量を表す粒子径分布データが算出される。
【０００４】
上記のような屈折率を表すパラメータは、例えば作業者が予め入力することにより設定される（例えば、下記特許文献１参照）。すなわち、試料に含まれる粒子は、特定の屈折率を有する１種類の粒子であり、その粒子の屈折率を表すパラメータが入力されることにより、当該パラメータを用いて演算が行われる。
【先行技術文献】
【特許文献】
【０００５】
【特許文献１】特開２０１１−２２０９１８号公報
【発明の概要】
【発明が解決しようとする課題】
【０００６】
このように、従来は、特定の屈折率を有する１種類の粒子を含む試料の粒子径分布しか測定することができなかった。試料中には、屈折率が異なる複数種類の粒子が混合されている場合があるが、このような場合でも、いずれか１種類の粒子に対応する屈折率を用いた演算しか行うことができないため、粒子径分布を精度よく測定することができないという問題があった。
【０００７】
本発明は、上記実情に鑑みてなされたものであり、屈折率が異なる複数種類の粒子が混合された試料の粒子径分布を精度よく測定することができるデータ処理方法、データ処理装置及びデータ処理プログラムを提供することを目的とする。
【課題を解決するための手段】
【０００８】
（１）本発明に係るデータ処理方法は、データ入力受付ステップと、係数行列生成ステップと、粒子径分布データ生成ステップとを含む。前記データ入力受付ステップでは、屈折率が異なる複数種類の粒子が混合された試料からの回折散乱光を複数の受光素子で受光することにより得られる光強度分布データの入力を受け付ける。前記係数行列生成ステップでは、屈折率ごとに得られる光学モデルが結合された係数行列を生成する。前記粒子径分布データ生成ステップでは、前記光強度分布データ及び前記係数行列に基づいて演算を行うことにより、屈折率が異なる複数種類の粒子ごとの粒子径分布データを生成する。
【０００９】
このような構成によれば、屈折率ごとに得られる光学モデルが結合された係数行列を用いて演算を行うことにより、屈折率が異なる複数種類の粒子ごとの粒子径分布データを一度に生成することができる。これにより、屈折率が異なる複数種類の粒子が混合された試料であっても、複数種類の粒子ごとの粒子径分布を精度よく測定することができる。
【００１０】
（２）前記係数行列生成ステップでは、各列が一次独立である前記係数行列を生成してもよい。
【００１１】
このような構成によれば、係数行列の各列が一次独立であるため、屈折率が異なる複数種類の粒子ごとの粒子径分布データを確実に区別することができる。したがって、複数種類の粒子ごとの粒子径分布をより精度よく測定することができる。
【００１２】
（３）前記データ処理方法は、前記粒子径分布データ生成ステップにより生成された複数種類の粒子ごとの粒子径分布データの粒子径範囲が同一となるように補正を行うデータ補正ステップをさらに含んでいてもよい。
【００１３】
このような構成によれば、複数種類の粒子ごとの粒子径分布データの粒子径範囲を同一として、粒子径分布データ同士を互いに比較しやすくすることができる。したがって、屈折率が異なる複数種類の粒子が混合された試料について、複数種類の粒子ごとの粒子径分布を容易に解析することができる。
【００１４】
（４）前記データ処理方法は、前記データ補正ステップにより補正された複数種類の粒子ごとの粒子径分布データを、同一の表示領域に表示させる表示処理ステップをさらに含んでいてもよい。
【００１５】
このような構成によれば、複数種類の粒子ごとの粒子径分布データが同一の表示領域に表示されるため、粒子径分布データ同士を比較しやすい。特に、複数種類の粒子ごとの粒子径分布データの粒子径範囲が同一となるように補正されているため、各粒子径範囲における粒子量を容易に比較することができる。
【００１６】
本発明に係るデータ処理装置は、データ入力受付部と、記憶部と、粒子径分布データ生成部とを備える。前記データ入力受付部は、屈折率が異なる複数種類の粒子が混合された試料からの回折散乱光を複数の受光素子で受光することにより得られる光強度分布データの入力を受け付ける。前記記憶部は、屈折率ごとに得られる光学モデルが結合された係数行列を記憶する。前記粒子径分布データ生成部は、前記光強度分布データ及び前記係数行列に基づいて演算を行うことにより、屈折率が異なる複数種類の粒子ごとの粒子径分布データを生成する。
【００１７】
本発明に係るデータ処理プログラムは、データ入力受付部と、粒子径分布データ生成部としてコンピュータを機能させる。前記データ入力受付部は、屈折率が異なる複数種類の粒子が混合された試料からの回折散乱光を複数の受光素子で受光することにより得られる光強度分布データの入力を受け付ける。前記粒子径分布データ生成部は、前記光強度分布データ、及び、屈折率ごとに得られる光学モデルが結合された係数行列に基づいて演算を行うことにより、屈折率が異なる複数種類の粒子ごとの粒子径分布データを生成する。
【発明の効果】
【００１８】
本発明によれば、屈折率が異なる複数種類の粒子が混合された試料であっても、複数種類の粒子ごとの粒子径分布を粒子量の相対的な大小の情報を含めて精度よく測定することができる。
【図面の簡単な説明】
【００１９】
【図１】本発明の一実施形態に係るデータ処理装置を備える粒子径分布測定装置の構成例を示した概略図である。
【図２】図１のデータ処理装置の具体的構成について説明するためのブロック図である。
【図３Ａ】表示部に対する粒子径分布データの表示態様の一例を示した図である。
【図３Ｂ】表示部に対する粒子径分布データの表示態様の他の例を示した図である。
【図４】屈折率が異なる複数種類の粒子が混合された試料の粒子径分布を測定する際の流れを示したフローチャートである。
【発明を実施するための形態】
【００２０】
図１は、本発明の一実施形態に係るデータ処理装置５を備える粒子径分布測定装置の構成例を示した概略図である。この粒子径分布測定装置は、試料に含まれる粒子群の粒子径と粒子量との関係を測定することにより、粒子径分布データを生成するためのものであり、試料の測定を行うための測定機構１を備えている。
【００２１】
測定機構１には、光源１１、集光レンズ１２、空間フィルタ１３、コリメータレンズ１４、フローセル１５、集光レンズ１６及び検出器１７などが備えられている。測定対象となる試料は、例えば超音波振動子が内蔵された循環式サンプラ２などの供給源からフローセル１５に供給されるようになっている。
【００２２】
光源１１は、例えばレーザ光源からなり、当該光源１１から放射された光（測定光）が、集光レンズ１２、空間フィルタ１３及びコリメータレンズ１４を通過することにより平行光となる。このようにして平行光とされた測定光は、試料が供給されているフローセル１５に照射され、フローセル１５内の試料に含まれる粒子群で回折又は散乱された光（回折散乱光）が、集光レンズ１６を通って検出器１７により受光されるようになっている。ただし、フローセル１５に限らず、測定ごとに回分セル内に試料が収容されて測定が行われるような構成であってもよい。
【００２３】
検出器１７は、試料からの光を検出するためのものであり、例えばフォトダイオードアレイにより構成される。検出器１７は、例えば互いに異なる半径を有するリング状又は半リング状の検出面が形成された複数（例えば、６４個）の受光素子１７１を、集光レンズ１６の光軸を中心として同心円状に配置することにより構成されており、各受光素子１７１には、それぞれの位置に応じた角度の方向に回折又は散乱された試料からの光が入射する。したがって、検出器１７の各受光素子１７１の検出信号は、入射角度に対応する光の強度を表すことになる。
【００２４】
この図１の例では、フローセル１５の前方（光源１１とは反対側）にのみ検出器１７が示されている。ただし、フローセル１５の後方（光源１１側）や側方（光の入射方向に対して直交する面内）にも、それぞれ試料で回折又は散乱された光を受光する受光素子を備えた検出器が設けられていてもよい。
【００２５】
検出器１７の各受光素子１７１の検出信号は、Ａ／Ｄ変換器３によりアナログ信号からデジタル信号に変換された後、通信部４を介してデータ処理装置５に入力されるようになっている。これにより、検出器１７の各受光素子１７１の素子番号と各受光素子１７１における検出強度とが対応付けられた光強度分布データが、データ処理装置５に入力される。
【００２６】
データ処理装置５は、試料の粒子径分布を測定する際のデータを処理する。データ処理装置５は、例えばコンピュータにより構成されており、制御部５１、操作部５２、表示部５３及び記憶部５４などを備えている。制御部５１は、例えばＣＰＵ（Central Processing Unit）を含む構成であり、操作部５２、表示部５３及び記憶部５４などの各部が電気的に接続されている。
【００２７】
操作部５２は、例えばキーボード及びマウスを含む構成であり、ユーザが操作部５２を操作することにより入力作業などを行うことができるようになっている。表示部５３は、例えば液晶表示器などにより構成されており、測定機構１における測定結果などの各種情報が表示部５３に表示される。記憶部５４は、例えばＲＡＭ（Random Access Memory）及びハードディスクなどにより構成される。
【００２８】
図２は、図１のデータ処理装置５の具体的構成について説明するためのブロック図である。本実施形態における制御部５１は、ＣＰＵがプログラムを実行することにより、データ入力受付部５１１、粒子径分布データ生成部５１２、データ補正部５１３及び表示処理部５１４などとして機能する。
【００２９】
記憶部５４には、光強度分布データ記憶部５４１、粒子径分布データ記憶部５４２及び係数行列記憶部５４３などが割り当てられている。光強度分布データ記憶部５４１には、検出器１７の各受光素子１７１からの入力信号に基づいて、光強度分布データが記憶される。制御部５１は、光強度分布データ記憶部５４１に記憶されている光強度分布データに基づいて粒子径分布データを生成し、その粒子径分布データを粒子径分布データ記憶部５４２に記憶させる。制御部５１が粒子径分布データを生成する際、係数行列記憶部５４３に記憶されている係数行列が用いられる。
【００３０】
本実施形態における粒子径分布測定装置では、屈折率が異なる複数種類の粒子が混合された試料の粒子径分布を測定することができる。このような試料を測定機構１で測定し、試料中の各粒子（屈折率が異なる複数種類の粒子）からの回折散乱光を複数の受光素子１７１で受光することにより、光強度分布データが得られる。得られた光強度分布データは、光強度分布データ記憶部５４１に記憶される。
【００３１】
データ入力受付部５１１は、粒子径分布データを生成する際に、光強度分布データ記憶部５４１に記憶されている光強度分布データの入力を受け付ける。粒子径分布データ生成部５１２は、光強度分布データ記憶部５４１から入力された光強度分布データに対して、屈折率を用いた演算を行うことにより、その屈折率に応じた粒子径分布データを生成する。本実施形態では、試料中に含まれる複数種類の粒子ごとに屈折率が異なるため、それぞれの屈折率に基づいて生成された１つの係数行列を用いて粒子径分布データ生成部５１２が行列演算を行うことにより、複数種類の粒子ごとの粒子径分布データを生成することができるようになっている。生成された各粒子径分布データは、粒子径分布データ記憶部５４２に記憶される。
【００３２】
粒子径分布データを演算する際には、下記式（１）の関係を用いることができる。
【数１】
2018031660.tif 000003
【００３３】
ここで、ｓ、ｑ及びＡは、下記式（２）〜（４）で表される。
【数２】
2018031660.tif 000004
【００３４】
ベクトルｓは、光強度分布データである。ベクトルｓにおける各要素ｓｕ（ｕ＝１，２，・・・，ｋ）は、検出器１７の各受光素子１７１、並びに、フローセル１５の後方や側方に設けられた受光素子（いずれも図示せず）における検出強度である。
【００３５】
ベクトルｑは、頻度分布％として表現される粒子径分布データである。この例では、屈折率が異なる２種類の粒子（粒子ａ及び粒子ｂ）が試料に含まれる場合のベクトルｑが示されており、各要素ｑａｉ（ｉ＝１，２，・・・，ｎ）が粒子ａの粒子量、各要素ｑｂｊ（ｊ＝１，２，・・・，ｍ）が粒子ｂの粒子量をそれぞれ表している。すなわち、粒子ａ及び粒子ｂを含む粒子の全体が、ｎ＋ｍ個の要素を持つベクトルｑとして表されている。
【００３６】
より具体的には、各要素ｑａｉ（ｉ＝１，２，・・・，ｎ）は、粒子径の測定対象範囲（最大粒子径がｘ１、最小粒子径がｘｎ＋１）をｎ分割し、それぞれの粒子径範囲を［ｘｉ，ｘｉ＋１］としたときに、各粒子径範囲［ｘｉ，ｘｉ＋１］に対応する粒子ａの粒子量を示している。一方、各要素ｑｂｊ（ｊ＝１，２，・・・，ｍ）は、粒子径の測定対象範囲（最大粒子径がｙ１、最小粒子径がｙｍ＋１）をｍ分割し、それぞれの粒子径範囲を［ｙｊ，ｙｊ＋１］としたときに、各粒子径範囲［ｙｊ，ｙｊ＋１］に対応する粒子ｂの粒子量を示している。このように、粒子径分布データの粒子径範囲は、複数種類の粒子（粒子ａ及び粒子ｂ）ごとに異なっている。もちろんｎ＝ｍとして、ｎとｍを同じ値にすることも可能である。
【００３７】
粒子量は体積基準で計算され、表示の際にはすべての粒子量の合計が１００％となるように規格化される。すなわち、下記式（５）を満たすように表示される。また、表示としては、粒子ａについての各要素ｑａ１〜ｑａｎの合計が１００％とする表示、すなわち式（６）を満たす表示や、粒子ｂについての各要素ｑｂ１〜ｑｂｍの合計が１００％とする表示、すなわち式（７）を満たす表示を採用してもよい。
【数３】
2018031660.tif 000005
【００３８】
行列Ａは、粒子径分布データｑを光強度分布データｓに変換するための係数がマトリクス状に配列された係数行列である。行列Ａは、複数種類の粒子の屈折率ごとに得られる光学モデル（理論光強度）が結合されることにより生成されている。この例では、屈折率が異なる２種類の粒子（粒子ａ及び粒子ｂ）についての光学モデルＡ１及びＡ２が結合されている。光学モデルＡ１における各要素ａｕ，ｉ（ｕ＝１，２，・・・，ｋ、ｉ＝１，２，・・・，ｎ）は、各粒子径範囲［ｘｉ，ｘｉ＋１］に属する単位体積の粒子ａに単位強度の測定光を照射したときのｕ番目の受光素子１７１における回折散乱光の受光強度である。光学モデルＡ２における各要素ａｕ，ｊ（ｕ＝１，２，・・・，ｋ、ｊ＝１，２，・・・，ｍ）は、各粒子径範囲［ｙｊ，ｙｊ＋１］に属する単位体積の粒子ｂに単位強度の測定光を照射したときのｕ番目の受光素子１７１における回折散乱光の受光強度である。
【００３９】
各光学モデルＡ１，Ａ２における各要素ａｕ，ｉ，ａｕ，ｊの値は、粒子ａ，ｂの屈折率をパラメータの一つとして用いて予め理論的に計算することができる。例えば、粒子径が光源１１からの測定光の波長に比べて十分に大きい場合（例えば１０倍以上）には、フラウンホーファ回折理論を用いて計算することができる。一方、粒子径が光源１１からの測定光の波長と同程度、又は、それより小さい場合には、ミー散乱理論を用いて計算することができる。このようにして得られた各粒子ａ，ｂについての光学モデルＡ１，Ａ２は、行数ｋが同じであり、互いに異なる列を構成するように横に並べて結合されることにより行列Ａが生成される。結果的に、行列Ａは、ｋ行、（ｎ＋ｍ）列の要素を持つ行列となる。
【００４０】
行列Ａを生成する際には、行列Ａの各列が一次独立となるように各要素ａｕ，ｉ，ａｕ，ｊの値が選択される。すなわち、行列Ａの各列ベクトルに係数を乗算して足し合わせた値が０となるのは、係数が全て０のときだけである。行列Ａの各列が一次独立であるか否かは、行列Ａの階数（ランク）を計算することにより確認することができ、階数が行列Ａの列数（ｎ＋ｍ）よりも小さければ、行列Ａは一次独立ではないと判断することができる。この場合、粒子径分布データの粒子径範囲を複数種類の粒子ごとに調整すれば、各列が一次独立である行列Ａを生成することができる。
【００４１】
粒子径分布データ生成部５１２による行列演算では、上記式（１）に基づいて、下記式（８）によりベクトルｑが求められる。ただし、ＡＴはＡの転置行列である。この場合、求められたベクトルｑが粒子径分布データとなり、各要素ｑａｉ（ｉ＝１，２，・・・，ｎ）が粒子ａの粒子量、各要素ｑｂｊ（ｊ＝１，２，・・・，ｍ）が粒子ｂの粒子量として算出される。
【数４】
2018031660.tif 000006
【００４２】
このように、本実施形態では、屈折率ごとに得られる光学モデルＡ１，Ａ２が結合された係数行列（行列Ａ）を用いて演算を行うことにより、屈折率が異なる複数種類の粒子ａ，ｂごとの粒子径分布データを一度に生成することができる。これにより、屈折率が異なる複数種類の粒子ａ，ｂが混合された試料であっても、複数種類の粒子ａ，ｂごとの粒子径分布を、粒子ａと粒子ｂの相対的な粒子量の大小の情報を含めて、精度よく測定することができる。
【００４３】
特に、本実施形態では、係数行列（行列Ａ）の各列が一次独立であるため、屈折率が異なる複数種類の粒子ａ，ｂごとの粒子径分布データを確実に区別することができる。したがって、複数種類の粒子ａ，ｂごとの粒子径分布をより精度よく測定することができる。
【００４４】
データ補正部５１３は、上記のようにして生成された複数種類の粒子ａ，ｂごとの粒子径分布データに対する補正を行う。具体的には、複数種類の粒子ごとの粒子径分布データの粒子径範囲が同一となるように補正が行われる。すなわち、粒子ａについての粒子径範囲［ｘｉ，ｘｉ＋１］と、粒子ｂについての粒子径範囲［ｙｊ，ｙｊ＋１］とが同一となるように補正される。このような補正は、周知の補間法を用いることにより行うことができる。
【００４５】
表示処理部５１４は、粒子径分布データを表示部５３に表示させるための処理を行う。本実施形態では、データ補正部５１３により補正された複数種類の粒子ａ，ｂごとの粒子径分布データが、表示部５３における同一の表示領域に表示されるようになっている。
【００４６】
図３Ａは、表示部５３に対する粒子径分布データの表示態様の一例を示した図である。この例では、粒子ａの粒子径分布データを表す折れ線グラフＧ１１と、粒子ｂの粒子径分布データを表す折れ線グラフＧ１２とが、同一の表示領域Ｄに同時に表示されている。各折れ線グラフＧ１１，Ｇ１２は、同一の粒子径範囲に対応付けて、それぞれの粒子径範囲における粒子ａ，ｂの粒子量を示している。
【００４７】
図３Ｂは、表示部５３に対する粒子径分布データの表示態様の他の例を示した図である。この例では、粒子ａの粒子径分布データを表す棒グラフＧ２１と、粒子ｂの粒子径分布データを表す棒グラフＧ２２とが、同一の表示領域Ｄに同時に表示されている。各棒グラフＧ２１，Ｇ２２は、同一の粒子径範囲に対応付けて、それぞれの粒子径範囲における粒子ａ，ｂの粒子量を示している。この例では、それぞれの粒子径範囲において各棒グラフＧ２１，Ｇ２２が積層されて（積算されて）表示されることにより、各粒子径範囲における粒子ａ，ｂ全体の粒子量の積算値を確認することができるようになっている。
【００４８】
図３Ａ及び図３Ｂに例示されるように、本実施形態では、複数種類の粒子ａ，ｂごとの粒子径分布データの粒子径範囲を同一として、粒子径分布データ同士を互いに比較しやすくすることができる。したがって、屈折率が異なる複数種類の粒子ａ，ｂが混合された試料について、複数種類の粒子ａ，ｂごとの粒子径分布を容易に解析することができる。
【００４９】
また、複数種類の粒子ａ，ｂごとの粒子径分布データが同一の表示領域Ｄに表示されるため、粒子径分布データ同士を比較しやすい。特に、複数種類の粒子ａ，ｂごとの粒子径分布データの粒子径範囲が同一となるように補正されているため、各粒子径範囲における粒子量を容易に比較することができる。
【００５０】
図４は、屈折率が異なる複数種類の粒子が混合された試料の粒子径分布を測定する際の流れを示したフローチャートである。試料中に屈折率が異なる複数種類の粒子が含まれる場合には、それらの屈折率に基づいて係数行列（行列Ａ）が予め生成され、係数行列記憶部５４３に記憶される（ステップＳ１０１：係数行列生成ステップ）。このとき、係数行列は、作業者が操作部５２を操作することにより生成されてもよいし、予め生成された係数行列が外部からデータ処理装置５に入力されてもよい。
【００５１】
その後、測定機構１において試料の測定が行われた場合には、その試料からの回折散乱光が検出器１７の各受光素子１７１で受光されることにより光強度分布データが生成され、データ入力受付部５１１により当該光強度分布データの入力が受け付けられる（ステップＳ１０２：データ入力受付ステップ）。ただし、光強度分布データは、測定機構１から直接入力されるような構成に限らず、予め試料を測定することにより得られた光強度分布データが外部からデータ処理装置５に入力されてもよい。
【００５２】
光強度分布データが入力されると、係数行列記憶部５４３から係数行列（行列Ａ）が読み出され、光強度分布データ及び係数行列に基づいて、粒子径分布データ生成部５１２により上記式（８）に示す行列演算が行われる。これにより、複数種類の粒子ごとの粒子径分布データが生成され（ステップＳ１０３：粒子径分布データ生成ステップ）、生成された粒子径分布データは粒子径分布データ記憶部５４２に記憶される。
【００５３】
粒子径分布を測定するだけであれば、ステップＳ１０３までの処理で終了となるが、測定した粒子径分布を表示部５３に表示させる際には、さらにステップＳ１０４及びＳ１０５の処理が行われる。具体的には、まず、ステップＳ１０３で生成された複数種類の粒子ごとの粒子径分布データの粒子径範囲が同一となるように、データ補正部５１３により各粒子径分布データに対する補正が行われる（ステップＳ１０４：データ補正ステップ）。
【００５４】
その後、補正された各粒子径分布データが、表示処理部５１４により表示部５３の同一の表示領域Ｄに表示される（ステップＳ１０５：表示処理ステップ）。これにより、屈折率が異なる複数種類の粒子が混合された試料について、複数種類の粒子ごとの粒子径分布の測定結果が分かりやすく表示部５３に表示される。
【００５５】
以上の実施形態では、屈折率が異なる２種類の粒子ａ，ｂが試料に含まれる場合について説明したが、屈折率が異なる３種類以上の粒子が試料に含まれていてもよい。この場合、各粒子についての光学モデルを３つ以上横に並べて結合することにより、係数行列（行列Ａ）を生成すればよい。
【００５６】
表示部５３に粒子径分布データを表示させる際の態様は、折れ線グラフＧ１１，Ｇ１２や棒グラフＧ２１，Ｇ２２に限られるものではない。すなわち、複数種類の粒子ごとの粒子径分布データを同一の表示領域Ｄに表示させることができるような態様であれば、他のグラフや、グラフ以外の表示態様で粒子径分布データが表示されてもよい。
【００５７】
また、以上の実施形態では、粒子径分布データを算出するためのデータ処理装置５が、粒子径分布測定装置に備えられた構成について説明した。しかし、このような構成に限らず、粒子径分布測定装置とは別にデータ処理装置５が設けられた構成であってもよい。この場合、粒子径分布測定装置の測定機構１から出力される光強度分布データは、有線通信又は無線通信を介してデータ処理装置５に入力されるような構成であってもよいし、記憶媒体（図示せず）に一旦記憶された後、当該記憶媒体からデータ処理装置５に入力されるような構成などであってもよい。
【００５８】
データ処理装置５は、測定機構１から入力される光強度分布データを、光強度分布データ記憶部５４１に一旦記憶してから演算に用いるような構成に限らず、外部から入力される光強度分布データから、そのまま粒子径分布データが算出されるような構成であってもよい。
【００５９】
また、上記実施形態に係るデータ処理装置５のように、光強度分布データに基づいてデータを処理するためのデータ処理装置５を提供することができるだけでなく、データ処理装置５としてコンピュータを機能させるためのプログラム（データ処理プログラム）を提供することも可能である。この場合、上記プログラムは、記憶媒体に記憶された状態で提供されるような構成であってもよいし、有線通信又は無線通信を介してプログラム自体が提供されるような構成であってもよい。
【符号の説明】
【００６０】
１      測定機構
２      循環式サンプラ
３      Ａ／Ｄ変換器
４      通信部
５      データ処理装置
１１    光源
１２    集光レンズ
１３    空間フィルタ
１４    コリメータレンズ
１５    フローセル
１６    集光レンズ
１７    検出器
５１    制御部
５２    操作部
５３    表示部
５４    記憶部
１７１  受光素子
５１１  データ入力受付部
５１２  粒子径分布データ生成部
５１３  データ補正部
５１４  表示処理部
５４１  光強度分布データ記憶部
５４２  粒子径分布データ記憶部
５４３  係数行列記憶部
【図１】
2018031660.tif 000007
【図２】
2018031660.tif 000008
【図３Ａ】
2018031660.tif 000009
【図３Ｂ】
2018031660.tif 000010
【図４】
2018031660.tif 000011